(57)【要約】      （修正有）【課題】乳幼児用衣服のボトム部を赤ちゃんの足の長さに対応して簡単に適正に調節できるようにして、赤ちゃんを安全にハイハイしたり、お母さんが赤ちゃんのタイツを上げ直したりする手間を削減するようにする。【解決手段】乳幼児用衣服１のボトム部３が伸びすぎたり、長すぎるのに適正に対処するためにボトム部３の長さを適正な長さに調節する糸、紐やテープの長さ調節具５をボトム部３の長さ方向にそって取り付けた。特に、大腿部から足首部にわたるボトム部３の長手方向にそって、その両足部２の内側と外側との両側に長さ調節具５をそれぞれ設けるようにする。【選択図】図１
0003141155.tif 000002
【実用新案登録請求の範囲】
【請求項１】
足部に着用するタイツ部やズボン部のボトム部を含む乳幼児用衣服であって、
衣服のボトム部が伸びすぎたり、長すぎるのに適正に対処するためにボトム部の長さを適正な長さに調節する糸、紐やテープの長さ調節具をボトム部の長さ方向にそって取り付けたことを特徴とする乳幼児用衣服。
【請求項２】
大腿部から足首部にわたるボトム部の長手方向にそってその両足部の内側と外側との両側に長さ調節具をそれぞれ設けた請求項１に記載の乳幼児用衣服。
【請求項３】
大腿部から足首部にわたるボトム部の長手方向にそって糸や紐、テープの長さ調節具を挿通して、乳幼児の着用状態に対応してボトム部の長さを長さ調節具を介して適正に調節自在に形成した請求項１または２に記載の乳幼児用衣服。
【請求項４】
長さ調節具をボトム部の内側または外側の大腿部から足首部、足裏部を介して外側または内側の足首部、大腿部にわたって配設した請求項１ないし３のいずれかに記載の乳幼児用衣服。
【請求項５】
大腿部から足首部にわたるボトム部の長手方向にそって所定の間隔で丸孔やスリット等の挿通部を設けて、この挿通部に糸、紐やテープの長さ調節具を挿通して乳幼児の着用状態に対応してボトム部の長さを長さ調節具を介して適正に調節自在に形成した請求項１ないし４のいずれかに記載の乳幼児用衣服。
【考案の詳細な説明】
【技術分野】
【０００１】
本考案は、乳幼児用衣服、特にタイツ部やズボン部のボトム部を有する乳幼児用衣服に関するものである。
【背景技術】
【０００２】
赤ちゃんには、特に冬期等の寒い時期にタイツやズボン、あるいはカバーオールの衣服を着用させて保温をはかっている。
【０００３】
しかし、乳幼児用衣服は、乳幼児の成長が早いこともあって多少大きなサイズのものを購入して着用させたり、また生地が伸びやすかったり、ずれ下がりやすく、たとえば赤ちゃんがハイハイをして歩くときにタイツを手で押さえたり、足で踏んだり、物に引っかかったりして怪我をするおそれがあった。また、お母さんは赤ちゃんのタイツがずれ下がるたびに上げ直さなくてはならず、何度も上げ直すのは手間がかかり、労働的にも負担がかかるものであった。
【０００４】
先行特許調査を行った結果、特開２００４−３２３９８４号公報や実用新案登録第３１３４８５１号が検索された。
特開２００４−３２３９８４は、乳幼児用衣服のズボンに係るものであって、ズボンの裾に足用袋を縫いつけて足首部に丈用ゴムを伸ばした状態で縫い付けて、赤ちゃんをおんぶや抱っこしたときにズボンがずり上がり、足のすねが出るのを防止し、また足先が突っ張らないようにすることを提案している。
【０００５】
また、実用新案登録第３１３４８５１号は、ベビー用衣類であって、赤ちゃんが抱っこされた際の衣服のずり上がりにより足が露出することを防げるように、裾丈の長さを通常のサイズよりも十分な長さを持たせ、裾を折り返した際に折り返し部分を固定用留め具を介して裾丈を調整することを提案している。
【特許文献１】特開２００４−３２３９８４号公報
【特許文献２】実用新案登録第３１３４８５１号
【０００６】
しかし、前者にあっては、赤ちゃんをおんぶや抱っこしたときにズボンがずり上がり、足のすねが出るのを防止し、また足先が突っ張らないようにできても、ズボンが長く伸びたり、ずれたりした場合に、その長さを短くして赤ちゃんの足の長さに対応して適正に調節することができない。
また、後者にあっては、裾を折り返して裾丈を調節することができても、ズボンが長く伸びたり、ずれたりした場合に、その長さを短くして赤ちゃんの足の長さに対応して適正に調節することができない。
【考案の開示】
【考案が解決しようとする課題】
【０００７】
このように従来の乳幼児用衣服は、ズボンが長く伸びたり、ずれたりした場合にその長さを短くして赤ちゃんの足の長さに対応して適正に調節することができないもので、ボトム部を赤ちゃんの足の長さに対応して簡単に適正に調節できるようにして、赤ちゃんを安全にハイハイしたり、お母さんが赤ちゃんのタイツを上げ直したりする手間を削減することが課題であった。
【課題を解決するための手段】
【０００８】
本発明は、上記のような点に鑑みたもので、上記の課題を解決するために、足部に着用するタイツ部やズボン部のボトム部を含む乳幼児用衣服であって、衣服のボトム部が伸びすぎたり、長すぎるのに適正に対処するためにボトム部の長さを適正な長さに調節する糸、紐やテープの長さ調節具をボトム部の長さ方向にそって取り付けたことを特徴とする乳幼児用衣服を提供するにある。
【０００９】
また、大腿部から足首部にわたるボトム部の長手方向にそってその両足部の内側と外側との両側に長さ調節具をそれぞれ設けたことを特徴とする乳幼児用衣服を提供するにある。
【００１０】
また、大腿部から足首部にわたるボトム部の長手方向にそって糸や紐、テープの長さ調節具を挿通して、乳幼児の着用状態に対応してボトム部の長さを長さ調節具を介して適正に調節自在に形成したことを特徴とする乳幼児用衣服を提供するにある。
【００１１】
さらに、長さ調節具をボトム部の内側または外側の大腿部から足首部、足裏部を介して外側または内側の足首部、大腿部にわたって配設したことを特徴とする乳幼児用衣服を提供するにある。
【００１２】
さらにまた、大腿部から足首部にわたるボトム部の長手方向にそって所定の間隔で丸孔やスリット等の挿通部を設けて、この挿通部に糸、紐やテープの長さ調節具を挿通して乳幼児の着用状態に対応してボトム部の長さを長さ調節具を介して適正に調節自在に形成したことを特徴とする乳幼児用衣服を提供するにある。
【考案の効果】
【００１３】
本考案は、上記のように足部に着用するタイツ部やズボン部のボトム部を含む乳幼児用衣服であって、衣服のボトム部が伸びすぎたり、長すぎるのに適正に対処するためにボトム部の長さを適正な長さに調節する糸、紐やテープの長さ調節具をボトム部の長さ方向にそって取り付けたことによって、着用させる乳幼児の足の長さに対応して適正な最適な長さにボトム部を長手方向にそった長さ調節具を介して調節でき、赤ちゃんがハイハイをして歩くときにタイツ等を手で押さえたり、足で踏んだり、物に引っかかったりすることなく、タイツやズボン等が異様にずれ下がることがなくなって、安全にハイハイでき、また従来のようにお母さんが赤ちゃんのタイツがずれ下がるたびに上げ直すことがなくなり、何度も上げ直す手間やその負担を削減できる。
【００１４】
また、大腿部から足首部にわたるボトム部の長手方向にそってその両足部の内側と外側との両側に長さ調節具をそれぞれ設けることによって、両側の長さ調節具で調節すると、衣服のボトム部の両足部を簡単に適正に調節できて、上記のように着用できる。
【００１５】
また、大腿部から足首部にわたるボトム部の長手方向にそって糸や紐、テープの長さ調節具を挿通して、乳幼児の着用状態に対応してボトム部の長さを長さ調節具を介して適正に調節自在に形成することによって、長さ調節具をボトム部の長手方向にそって挿通して形成でき、この長さ調節具の一端を引っ張って衣服のタイツやズボンのボトム部を大腿部から足首部にわたって着用させる乳幼児の足の長さに対応して最適の長さに調節できて、上記のように対処できる。
【００１６】
さらに、長さ調節具をボトム部の内側または外側の大腿部から足首部、足裏部を介して外側または内側の足首部、大腿部にわたって配設することによって、長さ調節具の一端を引っ張ると、ボトム部の外足裏を介してボトム部の長さを上記のように調節できて、上記のように着用できる。
【００１７】
さらにまた、大腿部から足首部にわたるボトム部の長手方向にそって所定の間隔で丸孔やスリット等の挿通部を設けて、この挿通部に糸、紐やテープの長さ調節具を挿通して乳幼児の着用状態に対応してボトム部の長さを長さ調節具を介して適正に調節自在に形成することによって、長さ調節具を挿通部を介して形成できて、丸孔やスリット等の挿通部を介してボトム部の長さを上記のように調節できて、上記のように着用できる。
【考案を実施するための最良の形態】
【００１８】
本考案は、足部に着用するタイツ部やズボン部のボトム部を含む乳幼児用衣服であって、衣服のボトム部が伸びすぎたり、長すぎるのに適正に対処するためにボトム部の長さを適正な長さに調節する糸、紐やテープの長さ調節具をボトム部の長さ方向にそって取り付けることを特徴としている。
【００１９】
乳幼児用衣服１は、少なくとも足部２に着用するタイツ部やズボン部のボトム部３を含むものであって、たとえばタイツ、ズボン、パジャマ、ロングレッグパンツ、オーバーオール、カバーオールなどのものが適用できる。
【００２０】
そして、たとえばこれらの衣服の中のボトム部３に図１（ａ）、（ｂ）のように左右両側の足部２の内側と外側にそれぞれ大腿部から足首部にわたって足部２の長手方向にそって一直線状やジグザグ状に小径状の丸孔や小幅のスリット、さらに編目調整をした編目等の挿通部４を５〜６０ｍｍ位の一定の間隔でそれぞれ適宜に開孔して、糸、紐や布テープ状の伸縮性のない、またはボトム部３の生地よりも伸縮性の少ない長さ調節具５を上から下までそれぞれ交互にボトム部３の内外となるようにして挿通し、その一端側を取着した長さ調節具５の他端部を引っ張って図２のような留め具６で係止して、赤ちゃん等の乳幼児に図３のように適正な最適な長さに調節して縮めて着用できるようにしている。
【００２１】
上記長さ調節具５は、衣服１のボトム部３の背部等にも設けることもできるが、側部に設けるのがハイハイのときなどに邪魔にならなくて好ましく、また上記したように丸孔やスリット等の挿通部４を開孔して挿通するのが好ましいが、後述するように糸や細紐、テープのときには直接的に衣服１のボトム部３に順次突き刺して所定の間隔で上記のように一直線状に縫い付けるように挿通することもできる。
【００２２】
そしてまた、この長さ調節具５は、その一端の上端側または下端側をボトム部３に縫着したり、やや大きな結び目を設けたりして取り付けることができ、他端側の下端側または上端側を結び目や、好ましくは図２（ａ）、（ｂ）のように挟んで凹凸部７などで係脱状態とできる小さな留め具６や公知の紐留め具等を長さ調節具５の端部に係止したりして取り付けることが長さ調整しやすくて好ましい。
【００２３】
また、長さ調節具５は、図４（ａ）、（ｂ）のようにタイツ１の長さ調節具５をボトム部３の内側または外側の大腿部から足首部、足裏部を介して外側または内側の足首部、大腿部にわたって連続状に配設して足部２の長さを調節自在に設けることもでき、一端の端部を引っ張ると、足裏を介してボトム部３の長さを上記のように調節できる。この場合、ずのように長さ調節具５のボトム部３の内側の一端部を縫着し、外側のボトム部３の上部の他端部側に留め具６を取り付けられるので、操作しやすくて好ましい。
【００２４】
さらに、図５（ａ）、（ｂ）のように衣服１の足部２の側部に×印状やクロス状、−状等の挿通部４を設けたり、長い細袋状の挿通部４を取り付けたりして、その中に紐を挿通した長さ調節具５とすることができ、さらにこれらの衣服１の外側でなく、内側に設けたり、図６のように上下に２分割したり、足部２の上端側または下端側に設けたりすることもできる。必要により、足部２の内側または外側の一部のみとすることもできる。
【００２５】
またさらに、図７（ａ）、（ｂ）のように長さ調節具５を１本ないし複数本、好ましくは２本を前記したように糸や細紐、細いテープとして、タイツ等のボトム部３の股部からウエスト部まで上記したようにステッチのように挿通したものである。このようにすると、上記したような丸孔やスリット等をボトム部３に開孔しなくて、ボトム部３に糸や紐を挿通することで容易に作ることができる。特に、２本を平行状に挿通すると、長さ調節具５を引っ張りやすくなって好ましい。
【００２６】
またさらに、図８（ａ）、（ｂ）のように長さ調節具５を伸縮自在の細幅のゴムテープとしてタイツ等のボトム部３に内側または外側の大腿部から足首部、足裏部を介して、外側または内側の足首部、大腿部にわたって連続状に配設して足部２の長さを調節自在に設けるようにしたものである。この場合、長さ調節具５のゴムテープをボトム部３の生地の伸び量より小さいものとして、ボトム部３の伸びに弾力性により対応できて自動的に長さ調節することができる。必要により、留め具６を設けて長さ調節自在にできる。
【００２７】
またさらに、長さ調節具５の端部は、上記したように縫着したり、結び目を設けたり、留め具６に係止したりして長さ調節可能である。その他の公知の紐止め具等を利用して紐等の長さを調節自在に係止したり、図９（ａ）、（ｂ）のように布テープ８としてボタン孔の係止孔９を所定間隔で開孔してボトム部３に取り付けたボタン１０に係止自在に形成したり、ボトム部３側に長状の面ファスナーの被係止部のテープ１１を取り付け、面ファスナーの係止部１２対向して所定位置に係脱自在に取り付けて長さ調節可能に配設するなど、本考案の趣旨にもとづいて適宜に設けることができる。
【実施例】
【００２８】
図１、図２は、本考案の一実施例を示すもので、上記図１（ａ）、（ｂ）にもとづいて説明したように、綿混紡の伸縮性の大きいタイツの衣服１の足部２の両側の内外面に伸び縮みしない細紐の長さ調節具５を足部２の長手方向にそって１０ｍｍ間隔で開孔した挿通部４に一直線状に挿通したもので、図３のように赤ちゃんに足の長さに対応して上端側をタイツに縫着して取り付けた長さ調節具５の下端側を引っ張って、赤ちゃんの足に最適にそうように図２のように留め具６で足部２の長さをを調節するようにしたものである。
【００２９】
そのため、タイツの長さが長かったり、伸びて長くなったり、長くてずれやすくても、着用させる赤ちゃん等の乳幼児の足の長さに対応して図１の矢示のように適正な最適な長さにボトム部３を長さ調節具５を介して調節でき、図３のように赤ちゃんがハイハイをして歩くときにタイツを手で押さえたり、足で踏んだり、物に引っかかったりすることなく、タイツやズボンが異様にずれ下がることがなくなって、安全にハイハイでき、また従来のようにお母さんが赤ちゃんのタイツがずれ下がるたびに上げ直すことがなくなり、何度も上げ直す手間やその負担を削減できる。
【００３０】
特に、大腿部から足首部にわたるボトム部３の長手方向にそってその両足部の内側と外側との両側に細紐の長さ調節具５を上記のようにそれぞれ設けることによって、両側の長さ調節具５で調節でき、衣服１のボトム部３の両足部２を簡単に適正に調節できる。
【００３１】
図４（ａ）、（ｂ）は、本考案の他の実施例で、タイツ１の長さ調節具５をリボン状のテープとしてボトム部３の内側または外側の大腿部から足首部、足裏部を介して、外側または内側の足首部、大腿部にわたって連続状に配設して、足部２の長さを調節自在に設けるようにしたものである。この場合、長さ調節具５のボトム部３の内側の一端部を縫着し、外側のボトム部３の上部の他端部側に留め具６を取り付けるのが好ましい。長さ調節具５の一端部を引っ張ると、ボトム部３の外側から内側にわたってボトム部３の長さを上記のように調節できる。
【００３２】
また、図５（ａ）、（ｂ）のように衣服１の足部２の側部に×印状やクロス状に挿通部４を設けたり、長い細袋状の挿通部４を取り付けて、その中に紐を挿通した長さ調節具５とすることができ、さらにこれらの衣服１の外側でなく、内側に設けたり、図６のように上下に２分割したり、足部の上端側または下端側に設けたりすることもできる。
【００３３】
また、図７（ａ）、（ｂ）のように長さ調節具５を糸や細紐としてタイツのボトム部３にステッチ状の挿通状態とすることもできる。上部をウエスト部に取り付けると、強く取り付けられる。また、この場合、上記したような丸孔やスリット等をボトム部３に開孔しなくて、容易に作ることができる。さらに、２本を平行状に挿通すると、長さ調節具５を引っ張りやすくなって好ましい。
【００３４】
またさらに、図８（ａ）、（ｂ）のように長さ調節具５をボトム部３の生地の伸び量より小さいゴムテープとして、タイツのボトム部３に内側の大腿部から足首部、足裏部を介して外側の足首部、大腿部にわたって連続状に配設して足部２の長さを調節自在に設けるようにしたものである。この場合、ボトム部３を長さ調節具５のゴムテープの弾力性により長さ調節できる。
【００３５】
上記した長さ調節具１は、外側に表れるものにはファッショナブルな彩色や模様のデザイン紐やデザインテープ、リボンテープとするのが好まく、また一直線状のみならず、ジグザグ状や連続したループ状のファッショナブルにすることもできるものである。
【００３６】
なお、上記では、足袋付きの衣服について説明したが、足袋のない衣服についても同様に適用することができるものである。この場合、ボトム部の下端部分にボタン孔等の係合部を設け、靴下等の足袋の上端部分にボタン等の被係合部を設けて、これらを係合して使用することもできる。
【図面の簡単な説明】
【００３７】
【図１】本考案の一実施例の乳幼児用衣服のタイツの正面図（ａ）と側断面図（ｂ）、
【図２】同上の長さ調節具の端部の留め具の拡大側断面図（ａ）と拡大正断面図（ｂ）、
【図３】同上の赤ちゃんに着用した状態の説明用図、
【図４】同上の他の実施例の正面図（ａ）と側断面図（ｂ）、
【図５】同上のそれぞれさらに他の実施例の側面図（ａ）、（ｂ）、
【図６】同上のそれぞれさらに他の実施例の側面図（ａ）、（ｂ）、
【図７】同上のそれぞれさらに他の実施例の正面図（ａ）と側面図（ｂ）、
【図８】同上のそれぞれさらに他の実施例の正面図（ａ）、（ｂ）、
【図９】同上の長さ調節具部のそれぞれの一部省略した実施例の正面図（ａ）、（ｂ）。
【符号の説明】
【００３８】
１…幼児用衣服        ２…足部      ３…タイツ部        ４…挿通部
５…長さ調節具
【図１】
0003141155.tif 000003
【図２】
0003141155.tif 000004
【図３】
0003141155.tif 000005
【図４】
0003141155.tif 000006
【図５】
0003141155.tif 000007
【図６】
0003141155.tif 000008
【図７】
0003141155.tif 000009
【図８】
0003141155.tif 000010
【図９】
0003141155.tif 000011